(57)【要約】【課題】遊技者の足下の圧迫感を低減させつつ島設備の下端縁部に遊技者の足が干渉して負傷してしまうのを防止することができる島設備を提供する。【解決手段】パチンコ遊技機Ｐが複数並列に設置可能とされるとともに、脚部１ａによって床面から所定寸法上方にて支持された島設備１において、少なくともパチンコ遊技機Ｐが設置された位置の下端縁部１ｂには、樹脂材やゴム材等の弾性部材から成る緩衝部材８が設けられたものである。【選択図】図４
2013118881.tif 000002
【特許請求の範囲】
【請求項１】
遊技機が複数並列に設置可能とされるとともに、脚部によって床面から所定寸法上方にて支持された島設備において、
少なくとも遊技機が設置された位置の下端縁部には、緩衝部材が設けられたことを特徴とする島設備。
【請求項２】
前記緩衝部材は、弾性部材から成ることを特徴とする請求項１記載の島設備。
【請求項３】
前記下端縁部は、内側に向かって屈曲又は湾曲した形状とされるとともに、当該屈曲形状又は湾曲形状に前記緩衝部材が取り付けられたことを特徴とする請求項１又は請求項２記載の島設備。
【発明の詳細な説明】
【技術分野】
【０００１】
本発明は、遊技機が複数並列に設置可能とされるとともに、脚部によって床面から所定寸法上方にて支持された島設備に関するものである。
【背景技術】
【０００２】
パチンコ遊技機の島設備は、パチンコ店内のホールに設置され、複数のパチンコ遊技機が横並びに配設されるとともに、それらパチンコ遊技機に対して遊技球の供給及び回収等を行い得るよう構成されている。しかるに、近時においては、ホール内の見通しを良好として開放感を図るとともに遊技者の圧迫感を低減させるべく、島設備の下部に複数の脚部を設け、それら脚部にて床面から所定寸法上方にて支持された島設備が提供されるに至っている。なお、かかる先行技術は、文献公知発明に係るものでないため、記載すべき先行技術文献情報はない。
【発明の概要】
【発明が解決しようとする課題】
【０００３】
しかしながら、上記従来の島設備においては、足部により所定寸法上方に支持されることにより、遊技者の足下の空間を広げることができ、足下の圧迫感を低減させることができるものの、島設備の下端縁部に遊技者の足が干渉することが多くなることから、干渉によって不快感を生じさせてしまうという問題があった。特に、島設備の下端縁部が鋭角となっていると、その角に遊技者の足が干渉した場合、負傷してしまう虞があり問題があった。なお、このような問題は、パチンコ遊技機が複数配設された島設備に限らず、例えばパチスロ等のスロットマシンが複数配設された島設備にも同様に生じてしまう。
【０００４】
本発明は、このような事情に鑑みてなされたもので、遊技者の足下の圧迫感を低減させつつ島設備の下端縁部に遊技者の足が干渉して負傷してしまうのを防止することができる島設備を提供することにある。
【課題を解決するための手段】
【０００５】
請求項１記載の発明は、遊技機が複数並列に設置可能とされるとともに、脚部によって床面から所定寸法上方にて支持された島設備において、少なくとも遊技機が設置された位置の下端縁部には、緩衝部材が設けられたことを特徴とする。
【０００６】
請求項２記載の発明は、請求項１記載の島設備において、前記緩衝部材は、弾性部材から成ることを特徴とする。
【０００７】
請求項３記載の発明は、請求項１又は請求項２記載の島設備において、前記下端縁部は、内側に向かって屈曲又は湾曲した形状とされるとともに、当該屈曲形状又は湾曲形状に前記緩衝部材が取り付けられたことを特徴とする。
【発明の効果】
【０００８】
請求項１の発明によれば、少なくとも遊技機が設置された位置の下端縁部には、緩衝部材が設けられたので、遊技者の足下の圧迫感を低減させつつ島設備の下端縁部に遊技者の足が干渉して負傷してしまうのを防止することができる。
【０００９】
請求項２の発明によれば、緩衝部材は、弾性部材から成るので、簡易な構成にて、遊技者の足下の圧迫感を低減させつつ島設備の下端縁部に遊技者の足が干渉して負傷してしまうのをより確実に防止することができる。
【００１０】
請求項３の発明によれば、下端縁部は、内側に向かって屈曲又は湾曲した形状とされるとともに、当該屈曲形状又は湾曲形状に緩衝部材が取り付けられたので、遊技者の足が島設備の下端縁部に干渉してしまうのを抑制することができる。
【図面の簡単な説明】
【００１１】
【図１】本発明の実施形態に係る島設備を示す全体正面図
【図２】同島設備を横断面した模式図
【図３】同島設備における緩衝部材が取り付けられた下端縁部近傍を示す拡大正面図
【図４】図３におけるＩＶ−ＩＶ線断面図
【図５】本発明の他の実施形態に係る緩衝部材を示す断面図
【図６】本発明の更に他の実施形態に係る緩衝部材を示す断面図
【発明を実施するための形態】
【００１２】
以下、本発明の実施形態について図面を参照しながら具体的に説明する。
本実施形態に係る島設備は、遊技機（パチンコ遊技機）を複数並列に設置可能とされたもので、図１〜３に示すように、複数のパチンコ遊技機Ｐ（図１参照）が横並びに設置されるとともに、複数の脚部１ａによって床面から所定寸法上方にて支持されている。これにより、各パチンコ遊技機Ｐの前に設置された椅子（不図示）に遊技者が腰掛けて遊技を行う際、足下に空間が生じることとなり、足下の圧迫感を低減し得るようになっている。
【００１３】
島設備１の内部には、パチンコ遊技機Ｐに電力を供給し得る電力供給手段（不図示）を具備するとともに、洗浄装置２と、揚送機３と、補給樋５と、回収レール６とが配設されている。揚送機３の上部には、補給タンク４が配設されており、当該補給タンク４から図１中左右方向にそれぞれ補給樋５が延設されている。しかして、パチンコ遊技機Ｐから排出された遊技球は、回収レール６を介して洗浄装置２に至り、そこで洗浄された後、揚送機３にて補給タンク４まで揚送される。補給タンク４まで揚送された遊技球は、補給樋５にて流下する過程で各パチンコ遊技機Ｐに補給されることとなる。
【００１４】
なお、島設備１には、パチンコ遊技機Ｐの上部に位置する幕板と、当該パチンコ遊技機Ｐの下部に位置する腰板とが取り付けられており、パチンコ遊技機Ｐの下部から遊技者側に膳板７が突出形成されている。このうち、幕板には、パチンコ遊技機Ｐの各種情報やスタッフの呼び出しボタン等が配設された操作表示部Ｒが配設されている。また、脚部１ａは、島設備１の下部における所定部位に複数形成されたもので、その形成位置、形状及び数は任意とされる。
【００１５】
ここで、本実施形態においては、島設備１の下端縁部１ｂには、緩衝部材８が設けられている。かかる緩衝部材８は、遊技者の足が干渉しても、その衝撃を和らげるためのもので、図４に示すように、本実施形態においては断面がＬ字状の弾性部材（例えば樹脂材やゴム材等）から成るものとされている。なお、本実施形態に係る緩衝部材８は、島設備１における下端縁部１ｂの略全域に沿って直線状に取り付けられているが、少なくともパチンコ遊技機Ｐが設置された位置の下端縁部１ｂに取り付けられていれば足りる。
【００１６】
なお、緩衝部材８は、ネジやボルト等による螺合、嵌合等による圧着、或いは接着剤等による貼着により島設備１（具体的には腰板）の下端縁部１ｂに取り付けられるよう構成するのが好ましい。また、本実施形態に係る緩衝部材８においては、断面がＬ字状とされているが、板状のものや任意の立体形状のもの等としてもよく、さらには発泡材料（発泡樹脂等）を材料としたものとしてもよい。
【００１７】
上記実施形態によれば、少なくともパチンコ遊技機Ｐが設置された位置の下端縁部１ｂには、緩衝部材８が設けられたので、遊技者の足下の圧迫感を低減させつつ島設備１の下端縁部１ｂに遊技者の足が干渉して負傷してしまうのを防止することができる。特に、本実施形態に係る緩衝部材８は、樹脂材やゴム材等の如き弾性部材から成るので、簡易な構成にて、遊技者の足下の圧迫感を低減させつつ島設備１の下端縁部１ｂに遊技者の足が干渉して負傷してしまうのをより確実に防止することができる。
【００１８】
以上、本実施形態について説明したが、本発明はこれに限定されるものではなく、例えば図５に示すように、島設備１’の下端縁部１’ｂは、内側（島設備１’の内部）に向かって屈曲した形状とされるとともに、当該屈曲形状に緩衝部材８’が取り付けられたものとしてもよい。また、図６に示すように、島設備１”の下端縁部１”ｂは、内側（島設備１’の内部）に向かって湾曲した形状とされるとともに、当該湾曲形状に緩衝部材８”が取り付けられたものとしてもよい。なお、この場合、緩衝部材８’、８”は、下端縁部１’ｂ、１”ｂの断面形状に倣った断面形状（屈曲形状又は湾曲形状）とするのが好ましい。
【００１９】
このように、下端縁部１’ｂ、１”ｂは、内側に向かって屈曲又は湾曲した形状とされるとともに、当該屈曲形状又は湾曲形状に緩衝部材８’、８”が取り付けられたので、遊技者の足が島設備１’、１”の下端縁部１’ｂ、１”ｂに干渉してしまうのを抑制することができる。すなわち、島設備１’、１”の下端縁部１’ｂ、１”ｂを内側に向かって屈曲又は湾曲させることにより、遊技者から遠ざかる方向に逃がすことができるので、遊技者の足が干渉するのを抑制することができ、さらに緩衝部材８’、８”により遊技者の足が干渉しても負傷してしまうのを抑制することができるのである。
【００２０】
なお、本実施形態においては、複数のパチンコ遊技機Ｐが並設された島設備に適用されているが、例えば他の遊技機（パチスロ等のスロットマシン）が並設された島設備に適用するようにしてもよく、或いは、パチンコ遊技機Ｐとスロットマシンとが１つの島設備に混合（すなわち、複数種の遊技機が混合）して配設された形態のものに適用するようにしてもよい。
【００２１】
さらに、本実施形態においては、洗浄装置２、揚送機３及び補給タンク４が島設備の略中央に配設されているが、これに代えて、島設備の島端に洗浄装置２、揚送機３及び補給タンク４を配設するものとし、その島端に設置された補給タンク４から補給樋５を延設させ、かつ、洗浄装置２まで回収レール６を延設させるようにしてもよい。その場合、島設備の下方に洗浄装置２等を配設する必要がなくなり、島設備の下方に位置する空間をより広く設定することができる。
【産業上の利用可能性】
【００２２】
少なくとも遊技機が設置された位置の下端縁部には、緩衝部材が設けられた島設備であれば、外観形状が異なるもの或いは他の機能が付加されたもの等にも適用することができる。
【符号の説明】
【００２３】
１  島設備
１ａ  脚部
１ｂ  下端縁部
２  洗浄装置
３  揚送機
４  補給タンク
５  補給樋
６  回収レール
７  膳板
８、８’、８”  緩衝部材
【図１】
2013118881.tif 000003
【図２】
2013118881.tif 000004
【図３】
2013118881.tif 000005
【図４】
2013118881.tif 000006
【図５】
2013118881.tif 000007
【図６】
2013118881.tif 000008